(57)【要約】【課題】給紙ユニットにおいて、センサに限らず、駆動系についても消費電力を低減するとともに、印刷要求や給紙手段の状態に応じて効率良く消費電力の低減を行う。【解決手段】画像の印刷を行う印刷手段（画像形成部）と、印刷手段に対する給紙を行う給紙手段（給紙ユニット）と、プリンタ１各部に電力を供給する電力供給手段（電力供給部３０）と、給紙手段における、用紙の搬送動作を制御する搬送制御部４０３、５０３、６０３、７０３、各種センサの動作を制御するセンサ制御部４０４、５０４、６０４、７０４、及び用紙の昇降動作を制御するリフト制御部４０５、５０５、６０５、７０５を含む各動作制御部に対する電力供給手段からの電力供給の遮断、非遮断の切り替えを各種動作制御部に対して独立に行う遮断切替手段（主制御部１００の遮断切替制御部）とを備える。【選択図】図３
2007091442.tif 000002
【特許請求の範囲】
【請求項１】
画像の印刷を行う印刷手段と、
前記印刷手段に対する給紙を行う給紙手段と、
装置各部に電力を供給する電力供給手段と、
前記給紙手段における、用紙の搬送動作を制御する搬送制御部、各種センサの動作を制御するセンサ制御部、及び用紙の昇降動作を制御するリフト制御部を含む各動作制御部に対する前記電力供給手段からの電力供給の遮断、非遮断の切り替えを該各動作制御部に対して独立に行う遮断切替手段とを備えることを特徴とする画像形成装置。
【請求項２】
前記給紙手段は、複数の給紙ユニットからなり、
前記遮断切替手段は、印刷動作時に、印刷要求と異なる種類の用紙がセットされた給紙ユニットの前記各動作制御部に対する電力供給を、該各動作制御部の前記印刷要求で必要でない動作制御部に対して部分的に遮断することを特徴とする請求項１記載の画像形成装置。
【請求項３】
前記複数の給紙ユニットは、複数段に構成されており、
前記複数の給紙ユニットにおける前記印刷要求に合う種類の用紙がセットされた給紙ユニットを給紙ユニットＡとし、前記印刷要求と異なる種類の用紙がセットされた給紙ユニットを給紙ユニットＢとすると、
前記遮断切替手段は、給紙ユニットＢが給紙ユニットＡより下段側に配置される場合に、用紙の搬送動作が不要な給紙ユニットＢの前記搬送制御部に対する電力供給を遮断することを特徴とする請求項２記載の画像形成装置。
【請求項４】
前記遮断切替手段は、前記給紙ユニットＢが給紙ユニットＡより下段側に配置される場合に、該給紙ユニットＢの前記センサ制御部に対する電力供給をさらに遮断することを特徴とする請求項３記載の画像形成装置。
【請求項５】
給紙ユニットＡの前記センサ制御部によって該給紙ユニットＡに用紙が無いことが検出された場合に、前記遮断切替手段は、該給紙ユニットＡの前記リフト制御部に対する電力供給を遮断することを特徴とする請求項３又は４記載の画像形成装置。
【請求項６】
前記センサ制御部によって給紙ユニットＡに用紙が無いことが検出された場合に、ユーザに対して該給紙ユニットＡへの用紙の給紙を促す情報を表示する表示手段をさらに備えることを特徴とする請求項５記載の画像形成装置。
【請求項７】
前記遮断切替手段は、印刷動作時に、印刷要求と異なる種類の用紙がセットされた前記給紙ユニットの前記センサ制御部又は前記リフト制御部に対する電力供給を遮断することを特徴とする請求項２〜６のいずれかに記載の画像形成装置。
【請求項８】
前記センサ制御部に対する電力供給が遮断されている給紙ユニットに対して、
印刷動作終了前の所定タイミングで、前記遮断切替手段に前記非遮断に切り替えさせて該センサ制御部に対する電力供給を行わせるとともに該センサ制御部に給紙ユニットの状態を検出させる復帰動作を行う復帰制御手段をさらに備えることを特徴とする請求項７記載の画像形成装置。
【請求項９】
前記リフト制御部に対する電力供給が遮断されている給紙ユニットに対して、
印刷動作終了前の所定タイミングで、前記遮断切替手段に前記非遮断に切り替えさせて該リフト制御部に対する電力供給を行わせるとともに該リフト制御部に用紙の昇降動作を行わせる復帰動作を行う復帰制御手段をさらに備えることを特徴とする請求項７記載の画像形成装置。
【発明の詳細な説明】
【技術分野】
【０００１】
本発明は、プリンタや複写機等の画像形成装置に関し、特に、給紙ユニットへの電力供給における低消費電力化機能を備える画像形成装置に関するものである。
【背景技術】
【０００２】
近年、各種機器の小型化、省エネルギー化が進み、これに伴い、機器の低消費電力化が強く要請されている。これに関し、プリンタや複写機等の画像形成装置において、例えば特許文献１には、装置各部のセンサ（フォトセンサ）に対する供給電流値の設定を変化させることで、センサに対する電源を遮断して消費電力を低減させるという技術が開示されている。
【特許文献１】特開２０００−２７８４６９号公報
【発明の開示】
【発明が解決しようとする課題】
【０００３】
ところで、画像形成装置に対する低消費電力化を図る上で、上記センサだけでなく、より消費電力が大きい用紙搬送用の駆動モータ（搬送モータ）や用紙昇降移動用のリフト駆動部などの駆動系についても考慮する必要がある（ここでは、画像形成装置におけるこれら搬送モータやリフト駆動部を備える給紙ユニットについて考慮する）。しかしながら、上記従来技術はセンサに特化したものであって、これら駆動系については開示されていない。なお、一般的には、画像形成装置におけるセンサや駆動系は、印刷時及び印刷の待機時において常時、電力供給が行われる構成とされている。
【０００４】
本発明は上記事情に鑑みてなされたもので、給紙ユニットにおいて、センサに限らず、より消費電力が大きい駆動系についても消費電力を低減することができるとともに、印刷要求や給紙ユニットの状態に応じて効率良く消費電力を低減することが可能な画像形成装置を提供することを目的とする。
【課題を解決するための手段】
【０００５】
本発明の請求項１に係る画像形成装置は、画像の印刷を行う印刷手段と、前記印刷手段に対する給紙を行う給紙手段と、装置各部に電力を供給する電力供給手段と、前記給紙手段における、用紙の搬送動作を制御する搬送制御部、各種センサの動作を制御するセンサ制御部、及び用紙の昇降動作を制御するリフト制御部を含む各動作制御部に対する前記電力供給手段からの電力供給の遮断、非遮断の切り替えを該各動作制御部に対して独立に行う遮断切替手段とを備えることを特徴とする。
【０００６】
上記構成によれば、印刷手段によって画像の印刷が行われ、給紙手段によって印刷手段に対する給紙が行われ、また、電力供給手段によって装置各部に電力が供給される。また、遮断切替手段によって、給紙手段における、用紙の搬送動作を制御する搬送制御部、各種センサの動作を制御するセンサ制御部、及び用紙の昇降動作を制御するリフト制御部を含む各動作制御部に対する電力供給手段からの電力供給の遮断、非遮断の切り替えが各動作制御部に対して独立に行われる。
【０００７】
また、上記構成において、前記給紙手段は、複数の給紙ユニットからなり、前記遮断切替手段は、印刷動作時に、印刷要求と異なる種類の用紙がセットされた給紙ユニットの前記各動作制御部に対する電力供給を、該各動作制御部の前記印刷要求で必要でない動作制御部に対して部分的に遮断することが好ましい。
【０００８】
また、上記構成において、前記複数の給紙ユニットは、複数段に構成されており、前記複数の給紙ユニットにおける前記印刷要求に合う種類の用紙がセットされた給紙ユニットを給紙ユニットＡとし、前記印刷要求と異なる種類の用紙がセットされた給紙ユニットを給紙ユニットＢとすると、前記遮断切替手段は、給紙ユニットＢが給紙ユニットＡより下段側に配置される場合に、用紙の搬送動作が不要な給紙ユニットＢの前記搬送制御部に対する電力供給を遮断することが好ましい。
【０００９】
また、上記構成において、前記遮断切替手段は、前記給紙ユニットＢが給紙ユニットＡより下段側に配置される場合に、該給紙ユニットＢの前記センサ制御部に対する電力供給をさらに遮断することが好ましい。
【００１０】
また、上記構成において、給紙ユニットＡの前記センサ制御部によって該給紙ユニットＡに用紙が無いことが検出された場合に、前記遮断切替手段は、該給紙ユニットＡの前記リフト制御部に対する電力供給を遮断することが好ましい。
【００１１】
また、上記構成において、前記センサ制御部によって給紙ユニットＡに用紙が無いことが検出された場合に、ユーザに対して該給紙ユニットＡへの用紙の給紙を促す情報を表示する表示手段をさらに備えることが好ましい。
【００１２】
また、上記構成において、前記遮断切替手段は、印刷動作時に、印刷要求と異なる種類の用紙がセットされた前記給紙ユニットの前記センサ制御部又は前記リフト制御部に対する電力供給を遮断することが好ましい。
【００１３】
また、上記構成において、前記センサ制御部に対する電力供給が遮断されている給紙ユニットに対して、印刷動作終了前の所定タイミングで、前記遮断切替手段に前記非遮断に切り替えさせて該センサ制御部に対する電力供給を行わせるとともに該センサ制御部に給紙ユニットの状態を検出させる復帰動作を行う復帰制御手段をさらに備えることが好ましい。
【００１４】
さらに、上記構成において、前記リフト制御部に対する電力供給が遮断されている給紙ユニットに対して、印刷動作終了前の所定タイミングで、前記遮断切替手段に前記非遮断に切り替えさせて該リフト制御部に対する電力供給を行わせるとともに該リフト制御部に用紙の昇降動作を行わせる復帰動作を行う復帰制御手段をさらに備えることが好ましい。
【発明の効果】
【００１５】
請求項１記載の発明によれば、給紙手段における、用紙の搬送動作を制御する搬送制御部、各種センサの動作を制御するセンサ制御部、及び用紙の昇降動作を制御するリフト制御部が含む各動作制御部に対する電力供給の遮断、非遮断の切り替えが該各動作制御部に対して独立に行われるので、センサだけでなく、より消費電力が大きい用紙の搬送動作や昇降動作を行う駆動系についても電力供給を遮断して消費電力を低減することができるとともに、印刷要求（印刷の用紙サイズや印刷枚数等の印刷情報）や給紙手段（給紙ユニット）の状態に応じて、これら各動作制御部毎に電力供給の遮断、非遮断を切り替えて、効率良く消費電力を低減することが可能となる。
【００１６】
請求項２記載の発明によれば、印刷動作時に、印刷要求と異なる種類の用紙がセットされた給紙ユニットの各動作制御部に対する電力供給が、該各動作制御部の印刷要求で必要でない動作制御部に対して部分的に遮断される（各動作制御部のうち、印刷要求で必要でない動作制御部への電力供給が遮断される）ので、印刷動作時において、各動作制御部における必要なもの（例えば次の印刷ジョブが発生したら待ち時間無しに直ちにこのジョブに応答して動作を開始させたい動作制御部）に対しては電力供給を維持しつつ、印刷中であったとしても不要なものに対しては電力供給を遮断するというようにして、省電力化と動作応答性とを両立させて効率良く消費電力を低減することができる。
【００１７】
請求項３記載の発明によれば、印刷要求と異なる種類の用紙がセットされた給紙ユニットＢが、印刷要求に合う種類の用紙がセットされた給紙ユニットＡより下段側に配置される場合に、用紙の搬送動作が不要な給紙ユニットＢの搬送制御部に対する電力供給が遮断されるので、印刷要求と異なる種類の用紙、すなわち印刷で使用されない用紙がセットされて、且つ用紙の搬送動作が不要な給紙ユニットＢにおける搬送制御部の消費電力を低減することができる。
【００１８】
請求項４記載の発明によれば、上記給紙ユニットＢが給紙ユニットＡより下段側に配置される場合に、給紙ユニットＢのセンサ制御部に対する電力供給がさらに遮断されるので、印刷要求と異なる種類の用紙、すなわち印刷で使用されない用紙がセットされて、且つ用紙の搬送動作が不要な給紙ユニットＢにおける上記搬送制御部と共にセンサ制御部（例えば搬送センサ）の消費電力を低減することができる。
【００１９】
請求項５記載の発明によれば、センサ制御部によって給紙ユニットＡに用紙が無いことが検出された場合に、この給紙ユニットＡのリフト制御部に対する電力供給が遮断されるので、用紙が無い給紙ユニットのリフト制御部に対して無駄に電力供給を行うことなく、このリフト制御部の消費電力を低減することができる。
【００２０】
請求項６記載の発明によれば、給紙ユニットＡに用紙が無くなった場合、ユーザに対してこの用紙の給紙を促す情報が表示手段に表示されるので、ユーザが給紙ユニットに用紙が無くなったことを視認することができ、この用紙が無くなった給紙ユニットに対する用紙の補充（給紙）を確実に行うことができる。
【００２１】
請求項７記載の発明によれば、印刷動作時に、印刷要求と異なる種類の用紙がセットされた給紙ユニットのセンサ制御部又はリフト制御部に対する電力供給が遮断されるので、印刷要求と異なる種類の用紙、すなわち印刷で使用されない用紙がセットされた  給紙ユニットにおけるセンサ制御部（例えば用紙センサ）又はリフト制御部の消費電力を低減することができる。
【００２２】
請求項８記載の発明によれば、センサ制御部に対する電力供給が遮断されている給紙ユニットに対して、印刷動作終了前の所定タイミング（例えば印刷動作が終了する直前）で、センサ制御部に対する電力供給が行われるとともにこのセンサ制御部により給紙ユニットの状態が検出される復帰動作がなされるので、消費電力の低減を図りつつ、次回の印刷ジョブに備える、すなわち次回の印刷ジョブに応答して迅速な動作開始を行うための動作応答性を維持することができる。
【００２３】
請求項９記載の発明によれば、リフト制御部に対する電力供給が遮断されている給紙ユニットに対して、印刷動作終了前の所定タイミング（例えば印刷動作が終了する直前）で、リフト制御部に対する電力供給が行われるとともにこのリフト制御部により用紙の昇降動作を行う、例えば降ろされていたリフトトレイを用紙の取り出しが可能となる位置まで上昇移動させる復帰動作がなされるので、消費電力の低減を図りつつ、次回の印刷ジョブに備える、すなわち次回の印刷ジョブに応答して迅速な動作開始を行うための動作応答性を維持することができる。
【発明を実施するための最良の形態】
【００２４】
以下、本発明に係る画像形成装置について図面を参照しながら説明する。図１は、本発明に係る画像形成装置の一例であるプリンタ１の内部構成を概略的に示す断面図である。プリンタ１は、プリンタ本体１０及びこのプリンタ本体１０の下方に配設された第１〜第３給紙ユニット５〜７を備えている。プリンタ本体１０は、画像形成部２、電源部３及び給紙部４を備えている。画像形成部２は、用紙に対するモノクロ画像の形成（印刷）を行うものであり、感光体ドラム２０１、感光体ドラム２０１の周囲に配設された帯電部２０２、露光部２０３、現像部２０４、クリーニング部２０５及び転写部２０６、並びに感光体ドラム２０１の下流側に配設された定着部２０７等を備えている。
【００２５】
感光体ドラム２０１は、同図中に示す矢印方向に回転可能に構成された例えばアモルファスシリコンからなる感光体（像担持体）である。帯電部２０２は、感光体ドラム２０１の表面を所定電位に均一に帯電させるものである。露光部２０３は所謂レーザ走査ユニットであり、後述の画像メモリ等から送信されてきた画像データに基づき生成されたレーザービーム（ＬＥＤ光）を感光体ドラム２０１の表面に照射し、感光体ドラム２０１上に静電潜像を形成するものである。現像部２０４は、感光体ドラム２０１に形成された静電潜像に対して、現像部２０４が備えるトナー供給部２０４１から供給されるトナーを付着させることで、トナー像として静電潜像を顕在化させるものである。
【００２６】
クリーニング部２０５は、後述の転写部２０６によるトナー転写が終了した後、感光体ドラム２０１の表面に残留しているトナーを清掃するものである。転写部２０６は、転写ローラ２０６１を備え、この転写ローラ２０６１を後述の給紙部４によって搬送されてきた用紙を介して感光体ドラム２０１に押し付けた状態で、感光体ドラム２０１上に顕在化されたトナー像を用紙に対して転写するものである。定着部２０７は、用紙に転写されたトナー像を定着させるものである。定着部２０７はヒートローラ２０７１及び圧ローラ２０７２を備え、ヒートローラ２０７１の熱によって用紙上のトナーを溶かし、圧ローラ２０７２によって圧力を加えて用紙上にトナー像を定着させる。なお、定着部２０７で定着処理された用紙は、搬送路２０８を経て搬送ローラ２０９や排出ローラ２１０によって、プリンタ本体１０上部の排出トレイ２１１へ搬送される。
【００２７】
電源部３（電源ユニット）は、プリンタ１の各部に電力供給を行うための電源である。給紙部４は、プリンタ本体１０の下部に配設されており、画像形成部２に対する給紙を行うものである。給紙部４は、給紙カセット４１、リフト駆動部４２、ピックアップローラ４３、搬送路４４、搬送ローラ４５、分岐ガイド４６、用紙センサ４７、カセットセンサ４８及び搬送センサ４９を備えている。給紙カセット４１は、所定サイズ（ここでは汎用のＡ４サイズとする）の用紙を収納するための、プリンタ１に所謂標準装備された給紙カセットであり、プリンタ本体１０に対して着脱自在に構成されている。リフト駆動部４２は、給紙カセット４１が備えるリフトトレイ４１１を例えば図中の矢印で示す上下方向に昇降移動させることで、該リフトトレイ４１１上に載置された用紙を昇降移動させるものである。ピックアップローラ４３は、給紙カセット４１に収納されている用紙を取り出すためのものである。搬送路４４は、給紙カセット４１から取り出された用紙、或いは第１〜第３給紙ユニット５〜７から搬送されてきた用紙を画像形成部２（感光体ドラム２０１と転写ローラ２０６１とのニップ部）へ搬送する搬送経路である。搬送ローラ４５は、搬送路４４中の用紙の搬送を行うものである。分岐ガイド４６は、用紙の搬送タイミングに応じて、給紙カセット４１からの用紙と第１〜第３給紙ユニット５〜７からの用紙との搬送ルートを切り替えるものである。
【００２８】
用紙センサ４７は、例えばフォトセンサからなり、給紙カセット４１に収納されている用紙の残量や有無、或いは用紙のサイズや向きを検出するものである。カセットセンサ４８は、給紙カセット４１の有無（給紙カセット４１がプリンタ本体１０に装着されているか否か）を検出するものである。搬送センサ４９は、搬送路４４中を用紙が好適に搬送されているか否か、換言すれば、搬送ジャム（紙詰まり）の発生の有無を検出するものである。なお、このような構成を備える給紙部４のことを、以降、標準給紙ユニット４と称するものとする。
【００２９】
第１〜第３給紙ユニット５〜７は、標準給紙ユニット４に対して所謂オプションとして設けられた給紙部であり、画像形成部２への給紙を行うものである。第１〜第３給紙ユニット５〜７は、標準給紙ユニット４とともに複数段（図１に示すように縦方向に積み重ねた状態）に構成されている。この各段の給紙ユニット、具体的には給紙ユニットが備える給紙カセットには所定サイズの用紙が収納される。ここでは、第１〜第３給紙ユニット５〜７に、それぞれ例えばＢ５サイズ、Ａ４サイズ（これは標準給紙ユニット４の用紙サイズと同じサイズ）及びＡ３サイズの用紙が収納されている。第１〜第３給紙ユニット５〜７は、それぞれ標準給紙ユニット４と同様、給紙カセット５１、６１、７１及びリフトトレイ５１１、６１１、７１１、リフト駆動部５２、６２、７２、ピックアップローラ５３、６３、７３、搬送路５４、６４、７４、搬送ローラ５５、６５、７５、分岐ガイド５６、６６、７６、用紙センサ５７、６７、７７、カセットセンサ５８、６８、７８、並びに搬送センサ５９、６９、７９を備えて構成されており、印刷要求に応じて所定の給紙ユニットから給紙が行われる。
【００３０】
第１給紙ユニット５では、標準給紙ユニット４と同様、リフト駆動部５２によって、用紙と共にリフトトレイ５１１が昇降移動され、ピックアップローラ５３によって、給紙カセット５１に収納されている用紙が取り出され、搬送ローラ５５によって、搬送路５４中の用紙搬送が行われ、分岐ガイド５６によって給紙カセット５１から搬出された用紙と、給紙カセット５１より下段の給紙カセット６１、７１から搬出された用紙の搬送ルートが切り替えられ、用紙センサ５７によって、給紙カセット５１に収納されている用紙の残量及び有無、或いは用紙のサイズが検出され、カセットセンサ５８によって、給紙カセット５１の有無が検出され、搬送センサ５９によって搬送ジャムの有無が検出される。第２、第３給紙ユニット６、７も同様でありその説明を省略する。なお、ここでは給紙ユニットを標準給紙ユニット４を含めて合計４段構成としているが、これよりも多い或いは少ない段で構成されていてもよい。また、各給紙ユニットに収納される用紙のサイズもこれに限らず、例えば全て違うサイズの用紙としてもよい。
【００３１】
図２は、上記プリンタ１を概略的に示した外形図であり、以降の各給紙ユニットの動作の説明における便宜上、プリンタ１における標準給紙ユニット４及び第１〜第３給紙ユニット５〜７を明示するものである。なお、プリンタ１は、同図に示すように、フロント部等に後述する表示部９０が設けられている。
【００３２】
ところで、プリンタ１の標準給紙ユニット４及び第１〜第３給紙ユニット５〜７においては、大きく分けて以下の３つの制御が行われる。すなわち、（１）用紙を搬送する制御（搬送制御という）、（２）用紙サイズ或いは用紙の残量や有無といった給紙ユニットの状態を検出する制御（センサ制御という）、（３）用紙の残量や有無に応じて用紙を昇降移動させる制御（リフト制御という）である。この３つの動作制御は、標準給紙ユニット４及び第１〜第３給紙ユニット５〜７において必ずしも常時必要ではなく、プリンタ１が待機状態である場合或いは印刷動作（プリント）時である場合に拘わらず、印刷要求に対して、これら給紙ユニットにおける一部又は全部の給紙ユニットで不要となる制御がある。したがって、これら３つの制御を効率よく実行することで、消費電力の低減を図ることが可能となる。このことについて、以下に詳述する。
【００３３】
図３は、上記プリンタ１における主に上記給紙ユニットの３つの動作制御に関する電気的な構成の一例を示すブロック図である。図３に示すように、プリンタ１は、電力供給部３０、給紙ユニット制御部４０、５０、６０、７０、入力部８０、表示部９０及び主制御部１００を備えている。電力供給部３０は、上記電源部３からなり、給紙ユニット制御部４０〜７０における後述の動作制御部に対して、具体的には後述の分岐部４０１、５０１、６０１、７０１に対して電力を供給するものである。
【００３４】
入力部８０は、ＬＡＮ等のネットワークを介して接続されたＰＣ等の外部装置（情報処理装置）との間における種々のデータの送受信を制御するネットワークＩ／Ｆ（インターフェース）からなり、この外部装置から送信された画像データ、或いは外部装置においてユーザの操作により入力された指示情報（コマンド）、例えば印刷実行指示情報、或いは用紙サイズや印刷部数（枚数）などの印刷設定情報等のプリンタ１への入力を行うものである。なお、入力部８０は、プリンタ１においてユーザによる操作指示入力を行うための操作部（この操作部には例えば印刷実行指示、或いは用紙サイズや印刷部数などの印刷設定情報等を入力するための各種操作ボタンが設けられている）であってもよい。
【００３５】
表示部９０は、印刷動作等に関する情報や設定情報等の各種情報を表示するものである。表示部９０は、後述する表示制御部１０５からの指示により、例えば「用紙が無くなりました。給紙して下さい。」といったメッセージを表示して給紙が必要であることをユーザに通知する（ユーザに給紙を促す）。
【００３６】
主制御部１００（演算処理部）は、各種制御プログラムを記憶するＲＯＭ（Read Only Memory）、データを一時的に保管したり作業領域として機能するＲＡＭ（Random Access Memory）、及び上記制御プログラム等をＲＯＭから読み出して実行するＣＰＵ（中央演算処理装置）等からなり、プリンタ１各部に対する各種制御信号の送受信を行い、プリンタ１全体の動作制御を司るものである。ここでは特に、主制御部１００は後述の遮断切替部４０２、５０２、６０２、７０２を制御することで、各動作制御部に対する電源供給の切り替え制御を行う。
【００３７】
なお、主制御部１００には、上記各部の他に、画像形成部２からなり、後述の画像メモリに記憶されるなどした画像データに基づいて用紙に対する画像印刷（記録）を行う記録部（図示略）、及び、上記ネットワークＩ／Ｆを介して外部装置から送信されてきた画像データ等を一時的に記憶する画像メモリ（図示略）等が接続されている。また、図３においては、説明の便宜上、給紙ユニット制御部４０とプリンタ本体１０とを分けて図示しているが、実際には給紙ユニット制御部４０はプリンタ本体１０に含まれる。
【００３８】
給紙ユニット制御部４０、５０、６０、７０は、それぞれ標準給紙ユニット４及び第１〜第３給紙ユニット５〜７内に配設されており、各給紙ユニットにおける搬送制御、センサ制御及びリフト制御を行うものである。給紙ユニット制御部４０、５０、６０、７０は、それぞれ分岐部４０１、５０１、６０１、７０１、遮断切替部４０２、５０２、６０２、７０２、搬送制御部４０３、５０３、６０３、７０３、センサ制御部４０４、５０４、６０４、７０４及びリフト制御部４０５、５０５、６０５、７０５を備えている。ここで、各部はそれぞれ同じ機能であるので、例えば標準給紙ユニット４について説明する。
【００３９】
分岐部４０１は、電力供給部３０からの電力供給路を、搬送制御部４０３、センサ制御部４０４及びリフト制御部４０５の各制御部（以降、これら各制御部のことを動作制御部という）に対応する複数の電力供給路に分岐するものである。遮断切替部４０２は、各動作制御部に対する電力供給のオン、オフ切り替えを行う（各動作制御部に対して電力供給を行ったり、電力供給を遮断したりする）ものであり、分岐部４０１により分岐されてなる各電力供給路に設けられた所謂切替えスイッチである。ただしこのスイッチは、機械的又は電気的にオン、オフ切り替え可能なスイッチである。
【００４０】
搬送制御部４０３は、上記搬送ローラ４５、ピックアップローラ４３や分岐ガイド４６（これらを纏めて搬送部という）の搬送モータや駆動モータ等の駆動を制御することで、用紙搬送動作を制御するものである。センサ制御部４０４は、用紙センサ４７、カセットセンサ４８及び搬送センサ４９（これらを纏めてセンサ部という）等のセンサ動作を制御するものである。リフト制御部４０５は、リフト駆動部４２（これをリフト部という）の昇降動作を制御するものである。ただし、各動作制御部は、それぞれの制御対象部に対して該各動作制御部を介して電力供給部３０からの電力を供給しつつその動作を制御する。
【００４１】
なお、ここでは、図３に示すようにセンサ制御部４０４に対して１つの電力供給路を備える構成としているが、実際には、センサの用途に応じて、用紙センサ４７、カセットセンサ４８及び搬送センサ４９毎に電力供給路を備えた構成となっており、遮断切替部４０２によって当該用途毎にセンサに対する電力供給のオン、オフ切り替えが可能となっている。また、各給紙ユニットのセンサ部（用紙センサ、搬送センサ及びカセットセンサ）による検出情報は各センサ制御部を介して主制御部１００に入力されるようになっている。
【００４２】
電力供給部３０からの電力は分岐部４０１に送信され、主制御部１００によって遮断切替部４０２における上記オン、オフ切り替えが制御されることで、各動作制御部に対する通電、非通電の切り替えが行われる。
【００４３】
このように、プリンタ１では、搬送制御部、センサ制御部及びリフト制御部の各種動作制御部に対する電力供給のオン、オフ切り替えを行う制御系（配線ライン）が互いに分離（分割）された構成（回路）となっており、これにより、各動作制御部に対する電力供給のオン、オフ切り替えを各動作制御部毎に独立して行うことが可能とされている。
【００４４】
図４は、主制御部１００の主に電力供給切替に関する機能ブロック図である。主制御部１００は、状態検出部１０１、遮断切替制御部１０２、印刷情報設定部１０３、印刷制御部１０４及び表示制御部１０５を備えている。状態検出部１０１は、各センサ部（用紙センサ、搬送センサ及びカセットセンサ）からの検出情報に基づいて、プリンタ１各部の状態を検出するものである。状態検出部１０１は、例えば用紙センサ４７（５７、６７、７７）からの検出情報に基づいて、標準給紙ユニット４（第１〜第３給紙ユニット５〜７）の状態、すなわち、セットされている用紙のサイズや向き、或いは用紙の残量や有無等を検出する（各状態の情報を取得する）。また例えば、搬送センサ４９（５９、６９、７９）からの検出情報に基づいて、搬送ジャム発生の有無を検出し、また、カセットセンサ４８（５８、６８、７８）からの検出情報に基づいて、給紙カセット４１（５１、６１、７１）の着脱状態、すなわち各給紙カセットの着脱動作（例えば引き出したり、定位置まで押し込む動作）がなされたか否か、或いは給紙カセットの有無を検出する。
【００４５】
遮断切替制御部１０２は、状態検出部１０１によって検出された状態検出情報及び後述の印刷情報設定部１０３に設定されている印刷情報（印刷要求）に基づいて、各給紙ユニットにおける搬送制御部、センサ制御部及びリフト制御部（搬送部、センサ部及びリフト部）等の各動作制御部に対する電力供給の遮断、非遮断の切り替え動作を当該各動作制御部に対して独立に制御するものである。
【００４６】
印刷情報設定部１０３は、上記外部装置からプリンタ１に送信されてくるなどした印刷要求、すなわち、例えば印刷に使用する用紙のサイズや印刷枚数等の印刷情報（印刷指示情報）を設定するものである。また、印刷情報設定部１０３は、この設定された印刷情報や状態検出部１０１による状態検出情報（上記各段の給紙ユニットに対する例えば用紙サイズや用紙の有無情報）に基づいて、何れの段の給紙ユニット（後述の図５では第２給紙ユニット６に相当する）を使用するか決定（選定）する機能を有している。なお、印刷情報又は印刷要求自体に、当該使用する給紙ユニットの指定情報を含んでいてもよい。
【００４７】
印刷制御部１０４は、印刷情報設定部１０３に設定された印刷情報に基づいて、画像形成部２に対する印刷動作（画像形成動作）の制御を行うものである。表示制御部１０５は、表示部９０に対する各種情報の表示動作を制御するものであり、例えば状態検出部１０１によって或る給紙ユニットに用紙が無くなったことが検出された場合に、この検出情報を受けて、用紙の補充（給紙）を促すメッセージを表示部９０に表示させる制御を行う。
【００４８】
ここで、上記各動作制御部に対する電力供給の切り替えについて、具体的な例を挙げて説明する。図５は、印刷時における給紙ユニット各部の電力供給状態の一例を説明する図であり、同図中の右側には、各給紙ユニットにおける上記搬送部、センサ部及びリフト部の電力供給のオン（ＯＮ；非遮断、通電）、オフ（ＯＦＦ；遮断、非通電）状態、を示している。なお、標準給紙ユニット４にはＡ４サイズの用紙（Ａ４用紙）が、第１〜第３給紙ユニット５〜７にそれぞれＢ５用紙、Ａ４用紙、Ａ３用紙がセットされているものとする。
【００４９】
例えば、Ａ４サイズの画像を、第２給紙ユニット６のＡ４用紙を用いて１００枚印刷するジョブが発生したとする。この場合、用紙の搬送制御が必要であるのは、第２給紙ユニット６と、これより上段に配置されており用紙が通過する第１給紙ユニット５及び標準給紙ユニット４とである。用紙が通過しない第３給紙ユニット７の搬送制御は不要であるので、第３給紙ユニット７の搬送部（搬送制御部７０３）への電力供給をＯＦＦにする。
【００５０】
センサ部（センサ制御部）に関しては、給紙ユニットの状態（用紙の残量や有無、或いは用紙サイズ）の検出が必要であるのは、第２給紙ユニット６と、この第２給紙ユニット６と同じ種類、ここでは同じサイズのＡ４用紙がセットされている標準給紙ユニット４である。換言すれば、印刷要求の条件と合致するＡ４用紙がセットされた給紙ユニットがこれに該当する。このＡ４用紙以外の用紙がセットされている第１給紙ユニット５及び第３給紙ユニット７の“用紙センサ”に対する電力供給をＯＦＦにする。“搬送センサ”については、上記用紙搬送制御が必要である給紙ユニット、すなわち第２給紙ユニット６と、これより上段に配置されている第１給紙ユニット５及び標準給紙ユニット４とに対する電力供給をＯＮとして、それ以外の第３給紙ユニット７に対する電力供給はＯＦＦにする。“カセットセンサ”については、後述の待機時と同様、全ての給紙ユニットに対して電力供給をＯＮにする。
【００５１】
リフト部（リフト制御部）に関しては、次回の印刷ジョブに備えて、制御を維持する必要があるので、全ての給紙ユニットに対して電力供給をＯＮにする。なお、印刷中に用紙が無くなった場合については、その給紙ユニットのリフト制御は不要となるので、用紙切れとなった時点でリフトトレイを降ろし（給紙カセットの底側へ降下移動させ）、リフト部（リフト制御部）に対する電力供給をＯＦＦにする。
【００５２】
次に、待機時の場合について説明する。図６は、待機時における給紙ユニット各部の電力供給状態を説明する図である。この場合、用紙を搬送する制御は不要であるので、全ての給紙ユニットの搬送部（搬送制御部）に対する電力供給をＯＦＦにする。センサ部（センサ制御部）に関しては、給紙カセットの着脱を検出する“カセットセンサ”以外は全て電力供給をＯＦＦにする。リフト部（リフト制御部）に関しては、印刷ジョブが発生してからリフト制御を行っていたのでは、印刷開始までに時間がかかってしまいユーザを待たせることになるので、リフト制御は維持する必要があり、したがって、リフト部に対する電力供給は全てＯＮにする。なお、用紙切れとなった給紙ユニットは、リフトトレイを降ろし、リフト部（リフト制御部）に対する電力供給をＯＦＦにする。
【００５３】
このように、従来においては印刷時或いは待機時において、搬送部（搬送制御部）、センサ部（センサ制御部）及びリフト部（リフト制御部）が全て電力供給がＯＮとされるのに対して、本願発明では、印刷要求或いは給紙ユニットの状態に合わせて適宜、部分的に電力供給をＯＦＦにされるので、その分だけ消費電力を低減することが可能となる。
【００５４】
図７は、本実施形態におけるプリンタ１の電力供給動作の一例を示すフローチャートである。プリンタ１が待機状態、すなわち搬送部がＯＦＦ（電力供給がＯＦＦ）、用紙センサ及び搬送センサがＯＦＦ、カセットセンサがＯＮ（電力供給がＯＮ）とされた状態にあるときに（ステップＳ１）、印刷ジョブが発生すると、すなわち外部装置等からの印刷要求が受け付けられて印刷情報が印刷情報設定部１０３に設定されると（ステップＳ２）、上記待機状態においてＯＦＦとなっていた用紙センサが全てＯＮにされる（ステップＳ３）。次に、印刷情報設定部１０３によって、当該印刷情報（印刷要求）及び状態検出部１０１による状態検出情報（上記ステップＳ３においてＯＮにされた用紙センサの検出情報）に基づいて、使用する給紙ユニット、例えば図５に示す第２給紙ユニット６が決定される（ステップＳ４）。そして、ステップＳ４において決定された第２給紙ユニット６の搬送部（搬送ローラ６５、ピックアップローラ６３や分岐ガイド６６；搬送制御部６０３）がＯＮにされる（ステップＳ５）。
【００５５】
次に、状態検出部１０１によって、他段すなわち第２給紙ユニット６以外の給紙ユニットの状態が検出される（ステップＳ６）。当該状態が検出された各給紙ユニットにおいて、印刷要求と同じ用紙サイズ（Ａ４用紙）がセット（収納）されている給紙ユニットが下段（下段側）に存在するもの（ここでは、標準給紙ユニット４及び第２給紙ユニット）に対しては（ステップＳ７のＹＥＳ）、その給紙ユニットの搬送部がＯＮにされるとともに（ステップＳ８）、搬送センサもＯＮにされる（ステップＳ９）。換言すれば、下段（下段側）に印刷要求と同じ用紙サイズが無い給紙ユニット（図５では第３給紙ユニット７）の搬送部及び搬送センサはＯＦＦとされる。また、印刷要求と異なる用紙サイズの給紙ユニット（図５では第１給紙ユニット５及び第３給紙ユニット７）の用紙センサがＯＦＦとされる。さらに、印刷要求と異なるサイズの用紙がセットされている給紙ユニット（図５では第１給紙ユニット５及び第３給紙ユニット７）の用紙センサがＯＦＦにされる（ステップＳ１０）。上記ステップＳ７において、下段に印刷要求と同じ用紙サイズが無い場合には（ステップＳ７のＮＯ）、以下のステップＳ１１の印刷動作に移る。
【００５６】
次に、上記電力供給状態において印刷動作が開始される（ステップＳ１１）。印刷ジョブの実行中に（ステップＳ１２のＮＯ）、現在用紙を使用している第２給紙ユニット６の用紙残量が無いことが状態検出部１０１（用紙センサ６７）によって検出されると（ステップＳ１３のＹＥＳ）、この第２給紙ユニット６のリフト部（リフト駆動部６２；リフト制御部６０５）がＯＦＦにされ（ステップＳ１４）、表示制御部１０５によって用紙の補充を促す（用紙が無くなったことを通知する）メッセージが表示部９０に表示される（ステップＳ１５）。ユーザにより第２給紙ユニット６に用紙が補充（給紙）されると、状態検出部１０１（用紙センサ６７）によって用紙が有ること（補充されたこと）が検出され（ステップＳ１６）、上記ＯＦＦにされていた第２給紙ユニット６のリフト部がＯＮに戻された後（ステップＳ１７）、ステップＳ１１に戻って印刷動作が継続される。上記ステップＳ１２において印刷ジョブが完了すれば（ステップＳ１２のＹＥＳ）、ＯＮにされていた搬送部、用紙センサ及び搬送センサがＯＦＦにされて上記待機状態に戻される（ステップＳ１８）。
【００５７】
以上のように本発明の画像形成装置（プリンタ１）によれば、遮断切替制御部１０２（遮断切替手段）によって、各給紙ユニット（給紙手段）における、用紙の搬送動作を制御する搬送制御部４０３（５０３、６０３、７０３）、各種センサの動作を制御するセンサ制御部４０４（５０４、６０４、７０４）、及び用紙の昇降動作を制御するリフト制御部４０５（５０５、６０５、７０５）を含む各動作制御部に対する電力供給部３０（電源部３；電力供給手段）からの電力供給の遮断、非遮断の切り替えが当該各動作制御部に対して独立に行われる。これにより、センサだけでなく、より消費電力が大きい用紙の搬送動作や昇降動作を行う駆動系についても電力供給を遮断して消費電力を低減することができるとともに、印刷要求（印刷の用紙サイズや印刷枚数等の印刷情報）や給紙ユニットの状態に応じて、これら各動作制御部毎に電力供給の遮断、非遮断の切り替えを行い、効率良く消費電力を低減することが可能となる。
【００５８】
また、印刷動作時に、印刷要求と異なる種類の用紙がセットされた給紙ユニットの各動作制御部に対する電力供給が、該各動作制御部における印刷要求で必要でない動作制御部に対して部分的に遮断される（各動作制御部のうち、印刷要求で必要でない動作制御部への電力供給が遮断される）ので、印刷動作時において、各動作制御部における必要なもの（例えば次の印刷ジョブが発生したら待ち時間無しに直ちにこのジョブに応答して動作を開始させたい動作制御部）に対しては電力供給を維持しつつ、印刷中であったとしても不要なものに対しては電力供給を遮断するというようにして、省電力化と動作応答性とを両立させて効率良く消費電力を低減することができる。
【００５９】
また、複数段に構成された複数の給紙ユニットにおける、上記印刷要求に合う種類の（例えば印刷要求と同じ用紙サイズである）用紙がセットされた給紙ユニットを給紙ユニットＡとし、印刷要求と異なる種類の用紙がセットされた給紙ユニットを給紙ユニットＢとすると、給紙ユニットＢが給紙ユニットＡより下段側に配置される場合に、遮断切替制御部１０２によって、用紙の搬送動作が不要な給紙ユニットＢ（例えば図５に示す第３給紙ユニット７）の搬送制御部（搬送部；具体的には搬送ローラ７５、ピックアップローラ７３や分岐ガイド７６）に対する電力供給が遮断されるので、印刷要求と異なる種類の用紙、すなわち印刷で使用されない用紙がセットされて、且つ用紙の搬送動作が不要な給紙ユニットＢにおける搬送制御部の消費電力を低減することができる。
【００６０】
また、上記給紙ユニットＢが給紙ユニットＡより下段側に配置される場合に、給紙ユニットＢ（例えば図５に示す第３給紙ユニット７）のセンサ制御部（センサ部；具体的には搬送センサ７９）に対する電力供給がさらに遮断されるので、印刷要求と異なる種類の用紙、すなわち印刷で使用されない用紙がセットされて、且つ用紙の搬送動作が不要な給紙ユニットＢにおける上記搬送制御部と共にこのセンサ制御部の消費電力を低減することができる。
【００６１】
また、上記給紙ユニットＡのセンサ制御部によって該給紙ユニットＡに用紙が無いことが検出された場合に、遮断切替制御部１０２によって、当該給紙ユニットＡのリフト制御部に対する電力供給が遮断されるので、用紙が無い給紙ユニットのリフト制御部に対して無駄に電力供給を行うことなく、このリフト制御部の消費電力を低減することができる。
【００６２】
また、上記給紙ユニットＡのセンサ制御部によって該給紙ユニットＡに用紙が無いことが検出された場合に、ユーザに対してこの用紙の給紙を促す情報が表示部９０（表示手段）に表示されるので、ユーザが給紙ユニットに用紙が無くなったことを視認することができ、この用紙が無くなった給紙ユニットに対する用紙の補充（給紙）を確実に行うことができる。
【００６３】
また、印刷動作時に、印刷要求と異なる種類の用紙がセットされた給紙ユニット（例えば図５に示す第１及び第３給紙ユニット５、７）のセンサ制御部（センサ部；具体的には用紙センサ５７、７７）又はリフト制御部（リフト部；リフト駆動部５２、７２）に対する電力供給が遮断切替制御部１０２によって遮断されるので、印刷要求と異なる種類の用紙、すなわち印刷で使用されない用紙がセットされた給紙ユニットにおけるセンサ制御部又はリフト制御部の消費電力を低減することができる。
【００６４】
また、このようにセンサ制御部に対する電力供給が遮断されている給紙ユニットに対して、印刷動作終了前の所定タイミング（例えば印刷動作が終了する直前）で、センサ制御部に対する電力供給が行われるとともにこのセンサ制御部により給紙ユニットの状態が検出される復帰動作が行われるので、消費電力の低減を図りつつ、次回の印刷ジョブに備える、すなわち次回の印刷ジョブに応答して迅速な動作開始を行うための動作応答性を維持することができる。
【００６５】
また、上述のようにリフト制御部に対する電力供給が遮断されている給紙ユニットに対して、印刷動作終了前の所定タイミング（例えば印刷動作が終了する直前）で、リフト制御部に対する電力供給が行われるとともにこのリフト制御部により用紙の昇降動作を行う、例えば降ろされていたリフトトレイを用紙の取り出しが可能となる位置まで上昇移動させる復帰動作が行われるので、消費電力の低減を図りつつ、次回の印刷ジョブに備える、すなわち次回の印刷ジョブに応答して迅速な動作開始を行うための動作応答性を維持することができる。なお、本発明は、以下の（Ａ）〜（Ｅ）に示す変形態様をとることができる。
【００６６】
（Ａ）上記実施形態においては図５に示すように、印刷時に、全リフト部への電力供給をＯＮとしているが、例えば印刷枚数が多く、印刷に時間がかかる（１つの給紙ユニットを用いて連続印刷を行う）ような印刷ジョブの場合には、特にリフト制御が必要でない給紙ユニットなどについてはリフト部への電力供給をＯＦＦにしてもよい（図５の場合では例えば第３給紙ユニット７や第１給紙ユニット５のリフト部をＯＦＦとしてもよい）。これにより、消費電力をより低減することができる。
【００６７】
（Ｂ）印刷時（例えば上記連続印刷を行うような場合）において、印刷に使用されていない、例えば用紙搬送が行われていない給紙ユニット（例えば図５の場合の第３給紙ユニット７）において、例えば用紙の向きやサイズを変更したり或いは残量が少なくなった用紙を給紙（補充）するべく第３給紙ユニット７の給紙カセットの着脱が行われたときには、すなわち、例えば引き出された給紙カセットが元の定位置に戻された後、印刷ジョブ（印刷動作）が終了する所定タイミングで（例えば印刷終了直前のタイミングで）、この第３給紙ユニット７のセンサ制御部７０４に対する電力供給をＯＮ（復帰）するとともに、センサ制御部７０４により制御される用紙センサ７７により用紙残量や有無或いは用紙サイズや向きの検出を行って第３給紙ユニット７の最新の状態を検出する復帰動作を行い、次回の印刷ジョブに備える（動作応答性を維持する）構成としてもよい（用紙センサ７７は当該最新の状態を検出した後、再び電力供給がＯＦＦされてもよい）。この復帰動作は、主制御部１００に備えた例えば復帰制御部（図示略）により行ってもよい。なお、この復帰動作は、必ずしも給紙カセットの着脱が行われた場合になされなくともよく、要は、センサ制御部７０４（用紙センサ７７）への電力供給がＯＦＦにされていた間に、その状態（用紙サイズや向き、用紙の有無や残量）が変化したか否かがチェックできればよい。
なお、上記印刷ジョブが終了する所定タイミングとは、具体的には、例えば印刷情報設定部１０３によって印刷枚数をカウント（カウントダウン）し、印刷が開始されてから所定枚数に達した時点、或いは残り所定枚数に達した時点を示す。なお、このタイミングは印刷枚数のカウントによらず、例えば印刷を開始してから所定時間（但し印刷終了前となる時間）が経過した時点としてもよい。また、上記給紙カセットの着脱の検出は、電力供給がＯＮ状態とされたカセットセンサ（図５参照）によって行われる。
【００６８】
（Ｃ）上記変形態様（Ａ）に関し、印刷に使用されていない給紙ユニット、例えば図５における第３給紙ユニット７のリフト制御部７０５（リフト駆動部７２）に対する電力供給がＯＦＦになっている状態において、上記と同様、印刷ジョブ（印刷動作）が終了する直前に、この第３給紙ユニット７のリフト制御部７０５に対する電力供給をＯＮ（復帰）するとともに、リフトトレイ７１１を昇降移動させて、すなわち、降ろしていたリフトトレイ７１１を用紙の積載高さに応じて所定位置まで上昇させてピックアップローラ７３による用紙のピックアップ、つまり用紙の取り出しが可能（給紙可能）となる状態に戻す復帰動作を行い、次回の印刷ジョブに備える（動作応答性を維持する）構成としてもよい。
【００６９】
（Ｄ）上記変形態様と同様、図６に示すような待機時においても、例えば用紙の向きやサイズを変更したり或いは残量が少なくなった用紙を給紙（補充）するべく例えば第３給紙ユニット７の給紙カセットの着脱が行われたときには（この着脱の検出も上記と同様にＯＮ状態にあるカセットセンサによって行われる）、用紙センサ７７に対する電力供給をＯＮ（復帰）するとともに、用紙センサ７７により用紙残量や有無或いは用紙サイズや向きの検出を行ってこの第３給紙ユニット７の最新の状態を検出する復帰動作を上記復帰制御部によって行い、次回の印刷ジョブに備える（動作応答性を維持する）構成としてもよい（この場合も用紙センサ７７は当該最新の状態を検出した後、再び電力供給がＯＦＦされてもよい）。
【図面の簡単な説明】
【００７０】
【図１】本発明に係る画像形成装置の一例であるプリンタの内部構成を概略的に示す断面図である。
【図２】図１に示すプリンタを概略的に示した外形図である。
【図３】上記プリンタにおける主に給紙ユニットの搬送制御、センサ制御及びリフト制御に関する電気的な構成の一例を示すブロック図である。
【図４】上記プリンタにおける主制御部の主に電力供給切替に関する機能ブロック図である。
【図５】印刷時における給紙ユニット各部の電力供給状態の一例を説明する図である。
【図６】待機時における給紙ユニット各部の電力供給状態の一例を説明する図である。
【図７】本実施形態におけるプリンタの電力供給動作の一例を示すフローチャートである。
【符号の説明】
【００７１】
１  プリンタ（画像形成装置）
２  画像形成部（印刷手段）
３  電源部（電力供給手段）
４  標準給紙ユニット（給紙部）（給紙ユニット；給紙手段）
５  第１給紙ユニット５（給紙ユニット；給紙手段）
６  第２給紙ユニット６（給紙ユニット；給紙手段）
７  第３給紙ユニット７（給紙ユニット；給紙手段）
１０  プリンタ本体
３０  電力供給部（電力供給手段）
９０  表示部（表示手段）
１００  主制御部（復帰制御手段）
１０２  遮断切替制御部（遮断切替手段）
１０４  表示制御部（表示手段）
４２、５２、６２、７２  リフト駆動部
４３、５３、６３、７３  ピックアップローラ
４５、５５、６５、７５  搬送ローラ
４７、５７、６７、７７  用紙センサ
４８、５８、６８、７８  カセットセンサ
４９、５９、６９、７９  搬送センサ
４０３、５０３、６０３、７０３  搬送制御部
４０４、５０４、６０４、７０４  センサ制御部
４０５、５０５、６０５、７０５  リフト制御部
４１１、５１１、６１１、７１１  リフトトレイ
【図１】
2007091442.tif 000003
【図２】
2007091442.tif 000004
【図３】
2007091442.tif 000005
【図４】
2007091442.tif 000006
【図５】
2007091442.tif 000007
【図６】
2007091442.tif 000008
【図７】
2007091442.tif 000009